【事件の表示】
　上記当事者間の国際登録第８３６９９７号商標の商標登録無効審判事件について、次のとおり審決する。
【結論】
　本件審判の請求は、成り立たない。
　審判費用は、請求人の負担とする。
【理由】
１　本件商標
　本件国際登録第８３６９９７号商標（以下「本件商標」という。）は、別掲のとおりの構成よりなり、２００３年（平成１５年）１２月１１日にノルウェー国においてした商標登録出願に基づいてパリ条約第４条による優先権を主張し、２００４年（平成１６年）５月２７日を国際登録の日とし、第５類「Ｐｈａｒｍａｃｅｕｔｉｃａｌ　ｐｒｅｐａｒａｔｉｏｎｓ，ｆｏｏｄ　ｓｕｐｐｌｅｍｅｎｔｓ　ｃｏｎｔａｉｎｉｎｇ　ｆｉｓｈ　ｏｉｌｓ　ｆｏｒ　ｍｅｄｉｃａｌ　ｕｓｅ；ｍｉｎｅｒａｌ　ｆｏｏｄ　ｓｕｐｐｌｅｍｅｎｔｓ，ｆｏｏｄ　ｓｕｐｐｌｅｍｅｎｔｓ　ｃｏｎｔａｉｎｉｎｇ　ｆａｔｔｙ　ａｃｉｄ　ａｎｄ　ｖｉｔａｍｉｎｓ　ｆｏｒ　ｍｅｄｉｃａｌ　ｕｓｅ；ｃｏｄ−ｌｉｖｅｒ　ｏｉｌ，ｌｉｑｕｉｄ　ｆｉｓｈ　ｏｉｌ　ａｎｄ　ｆｉｓｈ　ｏｉｌ　ｖｉａｌｓ，ｆｏｒ　ｍｅｄｉｃａｌ　ｕｓｅ；ｐｒｉｍｒｏｓｅ　ｏｉｌ　ｆｏｒ　ｍｅｄｉｃａｌ　ｕｓｅ；ｎａｔｕｒａｌ　ｒｅｍｅｄｉｅｓ　ａｎｄ　ｐｒｅｐａｒａｔｉｏｎｓ，ｄｉｅｔｅｔｉｃ　ｆｏｏｄ　ａｄａｐｔｅｄ　ｆｏｒ　ｍｅｄｉｃａｌ　ｐｕｒｐｏｓｅｓ．」を指定商品として、２００６年（平成１８年）４月２８日に設定登録されたものである。
２　引用商標
　請求人が引用する登録第１２２０００４号商標（以下「引用商標１」という。）は、「モーラス」の片仮名文字を書してなり、昭和４７年２月２９日に登録出願され、第１類に属する商標登録原簿に記載のとおりの商品を指定商品として、同５１年９月２０日に設定登録され、その後、平成１８年４月２６日に、指定商品を、第１類ないし第５類、第８類ないし第１０類、第１６類、第１９類、第２１類及び第３０類に属する商標登録原簿に記載の商品とする、指定商品の書換登録がされたものである。
　同じく、登録第４４７０８７１号商標（以下「引用商標２」という。）は、「モーラス」の片仮名文字を書してなり、平成１２年５月１９日に登録出願され、第５類「薬剤，歯科用材料，医療用腕環，医療用油紙，衛生マスク，オブラート，ガーゼ，カプセル，眼帯，耳帯，失禁用おしめ，人工受精用精液，生理帯，生理用タンポン，生理用ナプキン，生理用パンティ，脱脂綿，乳児用粉乳，乳糖，はえ取り紙，ばんそうこう，包帯，包帯液，防虫紙，胸当てパッド」を指定商品として、同１３年４月２７日に設定登録されたものである。
　同じく、登録第２３９７５６８号商標（以下「引用商標３」という。）は、「ＭＯＨＲＵＳ」の欧文字を書してなり、昭和６１年３月１９日に登録出願され、第１類に属する商標登録原簿に記載のとおりの商品を指定商品として、平成４年４月３０日に設定登録され、その後、同１４年９月１８日に、指定商品を、第１類ないし第５類、第８類、第１０類、第１６類、第１９類、第２１類及び第３０類に属する商標登録原簿に記載の商品とする、指定商品の書換登録がされたものである。
　同じく、登録第４４７０８７２号商標（以下「引用商標４」という。）は、「ＭＯＨＲＵＳ」の欧文字を書してなり、平成１２年５月１９日に登録出願され、第５類「薬剤，歯科用材料，医療用腕環，医療用油紙，衛生マスク，オブラート，ガーゼ，カプセル，眼帯，耳帯，失禁用おしめ，人工受精用精液，生理帯，生理用タンポン，生理用ナプキン，生理用パンティ，脱脂綿，乳児用粉乳，乳糖，はえ取り紙，ばんそうこう，包帯，包帯液，防虫紙，胸当てパッド」を指定商品として、同１３年４月２７日に設定登録されたものである。
（以下、引用商標をまとめていう場合は「引用各商標」という。）
３　請求人の主張
　請求人は、本件商標の登録は、その指定商品中、第５類「Ｐｈａｒｍａｃｅｕｔｉｃａｌ　ｐｒｅｐａｒａｔｉｏｎｓ」については、これを無効とする、審判費用は被請求人の負担とするとの審決を求め、その理由を要旨以下のように述べ、証拠方法として甲第１号証ないし甲第１９８号証を提出している。
　（１）請求の理由
　（ア）本件商標は、その指定商品中、第５類「Ｐｈａｒｍａｃｅｕｔｉｃａｌ　ｐｒｅｐａｒａｔｉｏｎｓ」については、商標法第４条第１項第１１号又は同法第４条第１項第１５号に該当するにもかかわらず登録されたものであるから、同法第４６条第１項の規定により、その登録を無効とされるべきものである。
　（イ）審判請求の利益
　請求人は、「経皮鎮痛消炎剤」の商品について、商標「モーラス」及び「ＭＯＨＲＵＳ」等の商標を使用し、取引者又は需要者に周知・著名な商標となっている。かかる状況下において、本件商標が、その指定商品中「薬剤」に使用された場合には、その商品の出所につき混同を生じるおそれがあり、かつ、請求人の周知・著名な商標の指標力を稀釈化させるおそれがあり、ひいては請求人の営業活動に取り返しのつかない損害を与えるおそれがある。よって、請求人は、本件審判を請求することにつき利害関係を有する。
　（２）本件商標が商標法第４条第１項第１１号に該当することについて
　（ア）指定商品の抵触
　本件商標は、その指定商品を第５類の「Ｐｈａｒｍａｃｅｕｔｉｃａｌ　ｐｒｅｐａｒａｔｉｏｎｓ」ほかとするものである。他方、引用各商標は、そのいずれについても指定商品に「薬剤」を含むものである。よって、本件商標は、指定商品「Ｐｈａｒｍａｃｅｕｔｉｃａｌ　ｐｒｅｐａｒａｔｉｏｎｓ」について、引用各商標の指定商品に抵触する。
　（イ）本件商標から生じる称呼
　本件商標は、欧文字で「ＭＯＬＬＥＲ’Ｓ」（審決注：欧文字「Ｏ」の上には、ウムラウトのような記号が付いている。）と表してなるものであるところ、これは、商標権者との関係でノルウェー語の綴りと思われるが、ノルウェー語は我が国ではほとんど使用されることがないから、このような欧文字の綴り字については、我が国ではローマ字読みか、または英語読みされるのが自然である。そうすると、本件商標からは、その構成文字に相応して「モラーズ」と称呼されるか、又は、英語読みでは「ＭＯ」を語頭に有する語にあっては、その部分が長音化されることもしばしばであるから、「モーラーズ」の称呼をも生じるものである。
　（ウ）引用各商標から生じる称呼
　引用商標１及び２は、いずれも片仮名文字の「モーラス」を構成文字とするものであるから、「モーラス」の称呼を生じる。また、引用商標３及び４については、いずれも欧文字の「ＭＯＨＲＵＳ」を構成文字とするものであるから、同様に「モーラス」の称呼を生じる。
　（エ）称呼の比較
　本件商標の「モーラーズ」の称呼と、引用各商標の「モーラス」の称呼を比較すると、語頭音から第３音までの「モーラ」を共通にし、異なるのは本件商標の第４音の長音部（第３音の「モ」が長音化された部分）と、本件商標の語尾音の「ズ」と、引用商標の語尾音が「ス」である点のみである。
　しかして、前記差異音は、いずれも称呼上弱いものである。すなわち、まず本件商標の第４音における長音の有無であるが、長音は前者「ラ」に吸収されるもので、音の差異としては微差である。次に語尾音の「ズ」の音と「ス」の音の差異も、音質において弱い差異とされる清音と濁音の差異でしかない。しかして、「モーラーズ」と「モーラス」の称呼においては、長音の有無は称呼上印象の弱い中間音の差異であり、かつ、清音と濁音の差異も、これまた称呼上印象の極めて弱い語尾音の差異でしかないから、それぞれ一連に称呼した場合には全体の音感が近似しており、弱い差異の要素の組み合わせであって全体の音感が近似する。本件と同様の審決例がある（甲第９号証ないし甲第１１号証）。
　してみれば、本件商標の「モーラーズ」の称呼と引用各商標の「モーラス」の称呼は、相紛らわしく類似するものである。
　（オ）結論
　以上のとおりであって、本件商標は、引用各商標に類似する。そして、その指定商品も抵触するので、本件商標は、引用各商標との関係において、商標法第４条第１項第１１号に該当するものである。
　（３）本件商標が商標法第４条第１項第１５号に該当することについて
　（ア）請求人の商標「モーラス／ＭＯＨＲＵＳ」の著名性
　（ａ）防護標章登録の存在
　請求人の商標「モーラス／ＭＯＨＲＵＳ」は、「経皮鎮痛消炎剤」について著名な商標である。このことは、引用商標１について、防護標章登録（甲第３号証）を認めていることからも明らかである。
　このように、請求人の商標「モーラス／ＭＯＨＲＵＳ」の著名性に疑いはないが、以下、その著名性を立証することとする。
　（ｂ）「モーラス／ＭＯＨＲＵＳ」商標に係る商品とその使用の経緯
　請求人は、薬剤に属する「経皮鎮痛消炎剤」に、引用各商標と同じ構成文字からなる各商標（甲第１２号証ないし甲第１６号証）を使用し、著名な商標となっている。以下、これらの商標をまとめて「モーラス商標」といい、「モーラス商標」が使用される商品を「モーラス商品」と称する。
　なお、「経皮鎮痛消炎剤」のうち、貼付剤にはパップ剤とテープ剤が含まれる。これらは、請求人の主力商品の一つである。
　モーラス商品の発売開始時期としては、パップ剤は１９９８年５月、大判のパップ剤を２００５年５月、その後、２００６年１月よりラインナップを拡充した。テープ剤は１９９５年１２月及び２００２年１２月である。
　（ｃ）モーラス商品についての宣伝広告の実績
　請求人は、モーラス商品の販売に当たって、以下のような宣伝広告活動を広汎かつ継続的に行ってきたものである。その宣伝広告活動においては、モーラス商標を明示して使用してきている。
　まず、膨大な量の販売促進用パンフレットを作成し、医薬情報担当者（ＭＲ）や医薬品卸売業者の営業担当者（ＭＳ）を通じて、医師や薬剤師などの医療関係者に対して、モーラス商品の宣伝広告物を、発売当初から現在に至るまで継続的に配布している（甲第２４号証）。そして、それらのパンフレットには、各モーラス商標を表示している（甲第２５号証ないし甲第１５９号証）。
　さらに、日本医師会が発行する「日本医師会雑誌」において、各モーラス商標を表示した広告を継続的に掲載してきている（甲第１６０号証ないし甲第１７０号証）。
　また、包装箱にも各モーラス商標を表示している（甲第６９号証、甲第７０号証、甲第１７１号証ないし甲第１７３号証）ほか、商品自体や商品の包装袋にも各モーラス商標を表示している（甲第１７４号証）。
　このように、モーラス商標が膨大な媒体物や商品包装等に使用された結果、本件商標の出願前から現在に至るまで、モーラス商標は、その取引者又は需要者に周知・著名な商標となっているものである。
　（ｄ）モーラス商品の圧倒的市場シェアと市場の評価
　請求人の、上記モーラス商品の宣伝広告活動に加えて、モーラス商品は、その極めて優良な薬効効果によって医療業界で好評を博し、そのため、その販売当初から現在に至るまで、業界第１位の圧倒的シェアを誇っている。すなわち、モーラス商品全体の売上総計は、発売時から２００４年までの累計で、５，５００億円を超えており（甲第１７５号証）、大ヒット商品ということができる。
　医療用「経皮鎮痛消炎剤」（パップ剤）市場における「モーラス／ＭＯＨＲＵＳ」の市場占有率は、発売翌年の１９８８年より第１位（１９８８年で２７．５％）であり、今日に至るまで一貫して市場占有率第１位の商品である（甲第１７６号証）。
　医療用「経皮鎮痛消炎剤」（テープ剤）市場における「モーラス　テープ／ＭＯＨＲＵＳ　ＴＡＰＥ」及び「モーラス　テープ　Ｌ／ＭＯＨＲＵＳ　ＴＡＰＥ　Ｌ」の市場占有率は、発売翌年の１９９６年より第１位（５６．０％）であり、２００４年で８１．９％の圧倒的なシェアに達し、今日に至るまで一貫して市場占有率第１位の商品である（甲第１７７号証）。
　２００４年の医療用「経皮鎮痛消炎剤」（貼付剤）市場における、モーラス商品の市場占有率は５０％を超えている（甲第１７８号証）。
「モーラス／ＭＯＨＲＵＳ」ブランドのパップ剤やテープ剤が、経皮鎮痛消炎剤の市場において、その品質の優良性によって高い評価を受け、その結果、驚異的な売上とシェアを獲得していることは、医薬品の分野における権威ある刊行物にも記載されているところである。（「薬事ハンドブック」甲第１７９号証ないし甲第１８３号証、「国際医薬品情報」甲第１８４号証ないし甲第１９３号証）。
　さらに、国際商業出版のホームページにおいて、医薬品情報を検索した場合に、モーラス商品が１９９９年以来、増収総益を続け、好調を維持してきていることが紹介されている（甲第１９４号証）。
　そして、このような実情と実績に基づいて、欧文字の「ＭＯＨＲＵＳ」商標が「日本有名商標集」に掲載されているとともに（甲第１９５号証）、前述のとおり片仮名文字の「モーラス」が特許庁において著名性を認定され、防護標章登録を受けているものである（甲第３号証）。
　（ｅ）モーラス商標の造語性、独創性
　請求人の商標「モーラス／ＭＯＨＲＵＳ」は、「市場を網羅する」ということにネーミングの由来を有する独創性の高い造語の商標である。そして、実際にも市場占有率が第１位の「市場を網羅（ＭＯＲＡ）する」商標として、独創性が高い著名商標となっているものである。
　（ｆ）本件商標と「モーラス／ＭＯＨＲＵＳ」商標との類似性
　本件商標が、請求人の「モーラス／ＭＯＨＲＵＳ」商標及び「モーラス／ＭＯＨＲＵＳを要部とする各商標と称呼上類似することは前述したとおりであり、「モーラーズ」の称呼と「モーラス」の称呼とは、弱い印象しか与えない長音と語尾音の「ス」と「ズ」の音が相違するのみであるから、共通する称呼である「モーラ」の部分が聴者の記憶、印象に強く残るものである。そして、前記のとおり「モーラス／ＭＯＨＲＵＳ」商標が独創性の高い商標であることも考慮すると、本件商標と請求人のモーラス商標に接する取引者・需要者は、両者から共通した印象ないしはイメージを感受するものである。
　ちなみに、裁判例においても、商標法第４条第１項第１５号の適用における商標の類似性の認定にあっては、通常の商標法第４条第１項第１１号の適用における類似性に比して、対比する商標間における共通する部分の記憶や印象を重視した認定がなされているものである（甲第１９６号証）。また、商標法第４条第１項第１５号の審決例もある（甲第１９７号証）。
　（ｇ）混同のおそれ
　以上のとおり、請求人のモーラス商標の著名性及び独創性、本件商標と引用各商標の類似性、モーラス商品がパップ剤やテープ剤等の経皮鎮痛消炎剤という「薬剤」であって、本件商標の指定商品である「Ｐｈａｒｍａｃｅｕｔｉｃａｌ　ｐｒｅｐａｒａｔｉｏｎｓ」と共通することを総合的に考慮すれば、本件商標がその指定商品中、「Ｐｈａｒｍａｃｅｕｔｉｃａｌ　ｐｒｅｐａｒａｔｉｏｎｓ」に使用された場合には、これに接する取引者・需要者は、それがあたかも請求人のモーラス商標（ブランド）に係る商品のシリーズ商品であるか、または、何らかの関連性のある商品であるかの如く誤認され、あるいは、その商品提供者（出所）について、何らかの営業上の関連性や資本の関連性があるかの如く混同されるおそれがあると言わねばならない。
　加えて、医療用医薬品の分野においては、需要者である患者の身体の安全性に深く関わっているが故に、混同のおそれは厳格に判断されるべきである。それは、医療品の分野において、近時、薬剤の取り替え事故や取り替え事例が存在することが現実に指摘されていること（甲第１９８号証）、そのような取り替えは薬品名称（商標）の誤認が原因の１つであることが報告されていることからも言えるところである。そうであるとすれば、本件商標の使用を容認することは、モーラス商品との関係で混同誤認の危険性が高いと言わねばならない。
　（ｈ）結論
　以上のとおりであって、本件商標は、請求人の著名なモーラス商標との間で出所の混同を生じるおそれのある商標であるから、商標法第４条第１項第１５号に該当するものである。
　（４）むすび
　以上から明らかなように、本件商標は、商標法第４条第１項第１１号又は同第１５号に該当するにもかかわらず商標登録されたものであるから、指定商品中「Ｐｈａｒｍａｃｅｕｔｉｃａｌ　ｐｒｅｐａｒａｔｉｏｎｓ」について、その登録は、同法第４６条第１項の規定により無効とされるべきである。
４　被請求人の答弁
　被請求人は、答弁していない。
５　当審の判断
　（１）本件商標について
　本件商標は、別掲のとおり、欧文字で「ＭＯＬＬＥＲ’Ｓ」と書してなるものであるところ、その構成文字中の欧文字「Ｏ」の上には、ウムラウトのような記号が付いているものである。
　そして、本件商標の指定商品中の、「薬剤」との関係においてはドイツ語が使用される場合もあることから、本件商標をドイツ語風に読む場合には、その構成文字に相応して「メラーズ」と称呼される場合もあるものと認める。
　また、このように書された欧文字は、我が国では一般に馴染みのないものであり、このような欧文字の綴り字については、ローマ字風、又は、英語風に読まれるのが自然であるから、その構成文字に相応して「モラーズ」の称呼をも生ずるものと認める。
　そうすると、本件商標からは、「メラーズ」又は「モラーズ」の称呼を生じ、特定の観念を生じない造語と認める。
　（２）引用各商標について
　引用商標１及び２は、いずれも片仮名文字の「モーラス」を構成文字とするものであるから、これより「モーラス」の称呼を生ずるものと認める。
　また、引用商標３及び４については、いずれも欧文字の「ＭＯＨＲＵＳ」を構成文字とするものであるから、その構成文字に相応して「モーラス」の称呼を生ずるものと認める。
　そして、引用各商標は、いずれも特定の観念を生じない造語と認める。
　（３）本件商標と引用各商標との類否について
　本件商標から生ずる「メラーズ」の称呼と、引用各商標から生ずる「モーラス」の称呼とを比較するに、共に３音と短い音数で構成されるところ、語頭において「メ」及び「モー」、第２音において「ラー」及び「ラ」、さらに、語尾において「ズ」及び「ス」と、構成する音のすべてが相違するものであり、そして、長音を伴う音の位置も異なることから、本件商標と引用各商標をそれぞれ称呼する場合には、明らかに区別することができるものである。
　さらに、本件商標から生ずる「モラーズ」の称呼と、引用各商標から生ずる「モーラス」の称呼とを比較するに、共に３音と短い音数で構成されるところ、語頭において「モ」及び「モー」、第２音において「ラー」及び「ラ」、さらに、語尾において「ズ」及び「ス」と、構成する音のすべてが相違するものであり、そして、長音を伴う音の位置も異なることから、本件商標と引用各商標をそれぞれ称呼する場合には、明らかに区別することができるものである。
　そして、本件商標と引用各商標とは、それぞれの構成に照らし、外観上判然と区別し得る差異を有するものであり、また、本件商標と引用各商標は共に特定の観念を生じない造語であるから、観念上両商標を比較することもできない。
　してみれば、本件商標と引用各商標とは、外観、称呼及び観念のいずれの点からみても相紛れるおそれのない非類似の商標といわなければならないから、本件商標は、商標法第４条第１項第１１号に該当するものではない。
　（４）本件商標の商標法第４条第１項第１５号該当性について
　請求人の提出に係る証拠によれば、引用商標は、「経皮鎮痛消炎剤」について、取引者、需要者間に相当程度広く認識されているものといえる。
　しかしながら、本件商標は、上記（１）のとおり、引用各商標とは全く別異のものであるから、本件商標をその指定商品に使用しても、これに接する取引者、需要者が引用商標ないしは請求人を連想、想起するようなことはないというべきであり、該商品が請求人又は同人と経済的・組織的に何らかの関係を有する者の業務に係る商品であるかの如く、その出所について混同を生ずるおそれはないものというのが相当である。
　したがって、本件商標は、商標法第４条第１項第１５号に該当するものではない。
　（５）まとめ
　以上のとおり、本件商標は、商標法第４条第１項第１１号及び同項第１５号のいずれの規定にも違反して登録されたものではないから、同法第４３条の３第４項の規定に基づき、その登録を維持すべきものである。
　よって、結論のとおり決定する。